【手続補正書】
【提出日】平成17年6月13日(2005.6.13)
【手続補正１】
【補正対象書類名】特許請求の範囲
【補正対象項目名】全文
【補正方法】変更
【補正の内容】
【特許請求の範囲】
【請求項１】
撮像部と、
この撮像部で撮影された被写体の画像データを記憶する少なくとも１フレーム分の撮影コマ格納用記憶手段と、
前記撮像部で撮影された被写体の画像データを識別するための識別データ、前記画像データをプリント指示するためのプリント指示データを発生させる識別・指示データ発生部と、
転送する画像データを記憶する少なくとも１フレーム分の転送画像データ用記憶手段と、
前記転送画像データ用記憶手段に記憶された画像データ、前記識別・指示データ発生部で発生させた前記識別データ及び前記プリント指示データを転送するデータ通信部とを備えたことを特徴とするカメラ。
【請求項２】
画素ずらし法により撮影を行い、この撮影で得られた画素ずらしの位置を表すデータと該当する画像データとを前記データ通信部によりデータ転送することを特徴とする請求項１記載のカメラ。
【請求項３】
前記画像データを複数コマ分記憶する記憶手段を備え、前記データ通信部は、一定コマ数又は一定データ量を撮影した後に、又は一定時間を経過した後に、前記記憶手段に記憶した複数コマ分の画像データを自動転送することを特徴とする請求項１または２記載のカメラ。
【請求項４】
前記データを転送する際に、カメラが通信不能エリアにある場合に待機モードになり、通信可能エリアに入るとデータ転送を開始することを特徴とする請求項１ないし３いずれか１つ記載のカメラ。
【請求項５】
前記データの転送が正常に終了した場合に送信される正常受信信号又は受付ＩＤ番号に基づき転送済みの画像データ及びこれらのプリント指示データを削除し、前記受付ＩＤデータを記憶することを特徴とする請求項１ないし４いずれか１つ記載のカメラ。
【請求項６】
複数のデータ転送先を記憶しておき、前記データ通信部は、前記複数のデータ転送先の中から選択されたものにデータ転送することを特徴とする請求項１ないし５いずれか１つ記載のカメラ。
【請求項７】
複数のプリント受取先を記憶しておき、前記データ通信部は、前記複数のプリント受取先の中から選択されたものをプリント受取先データとして前記プリント指示データに含ませてデータ転送することを特徴とする請求項１ないし６いずれか１つ記載のカメラ。
【請求項８】
複数のデータ転送先を記憶しておき、前記データ通信部は、カメラの現在位置データに基づきカメラの現在位置に近いデータ転送先を選択することを特徴とする請求項１ないし６いずれか１つ記載のカメラ。
【請求項９】
複数のプリント受取先を記憶しておき、前記データ通信部は、カメラの現在位置データに基づきカメラの現在位置に近いプリント受取先を選択し、このプリント受取先データをプリント指示データに含ませてデータ転送することを特徴とする請求項１ないし６いずれか１つ記載のカメラ。
【請求項１０】
カメラの現在位置情報は、手動、受信基地局情報、ＧＰＳ信号のいずれかに基づき入力されることを特徴とする請求項８または９記載のカメラ。
【請求項１１】
前記転送データはカメラ内で圧縮されたデータであることを特徴とする請求項１ないし１０いずれか１つ記載のカメラ。
【請求項１２】
前記カメラは、画像表示器を備え、転送データの画像表示後に、送信指示入力を待ってデータ転送することを特徴とする請求項１１記載のカメラ。
【請求項１３】
前記記憶手段は着脱自在な記録媒体を含み、この記録媒体に前記画像データ及び／又は識別データを記憶することを特徴とする請求項１ないし１２カメラ。
【請求項１４】
前記データ転送と前記記録媒体への記憶とを選択的に行うことを特徴とする請求項１３記載のカメラ。
【請求項１５】
前記データ転送部は、携帯電話回線による第１のデータ転送部と、近距離間の無線通信による第２のデータ転送部とを備えることを特徴とする請求項１３又は１４記載のカメラ。
【請求項１６】
前記データ転送部は画像データ閲覧モードを備え、この画像データ閲覧モードでは、転送済みの画像データを取り込み、表示させることを特徴とする請求項１なしい１５いずれか１つ記載のカメラ。
【請求項１７】
前記識別データには、前記画像データの保存を指示するデータが含まれていることを特徴とする請求項１６記載のカメラ。
【手続補正２】
【補正対象書類名】明細書
【補正対象項目名】発明の名称
【補正方法】変更
【補正の内容】
【発明の名称】カメラ
【手続補正３】
【補正対象書類名】明細書
【補正対象項目名】０００１
【補正方法】変更
【補正の内容】
【０００１】
本発明はデジタルスチルカメラ等で撮影した画像データを用いてプリントを行うプリントシステムに用いられるカメラに関するものである。
【手続補正４】
【補正対象書類名】明細書
【補正対象項目名】０００４
【補正方法】変更
【補正の内容】
【０００４】
本発明は上記課題を解決するためのものであり、記録媒体を多数用意することなく高画質の写真が得られるようにし、しかも写真を得るまでの手間と時間が省けるようにしたカメラを提供することを目的とする。
【手続補正５】
【補正対象書類名】明細書
【補正対象項目名】０００５
【補正方法】変更
【補正の内容】
【０００５】
上記目的を達成するために、本発明のカメラは、撮像部と、この撮像部で撮影された被写体の画像データを記憶する少なくとも１フレーム分の撮影コマ格納用記憶手段と、前記撮像部で撮影された被写体の画像データを識別するための識別データ、前記画像データをプリント指示するためのプリント指示データを発生させる識別・指示データ発生部と、転送する画像データを記憶する少なくとも１フレーム分の転送画像データ用記憶手段と、前記転送画像データ用記憶手段に記憶された画像データ、前記識別・指示データ発生部で発生させた前記識別データ及び前記プリント指示データを転送するデータ通信部とを備えたものである。なお、画素ずらし法により撮影を行い、この撮影で得られた画素ずらしの位置を表すデータと該当する画像データとを前記データ通信部によりデータ転送することが好ましい。
【手続補正６】
【補正対象書類名】明細書
【補正対象項目名】０００６
【補正方法】変更
【補正の内容】
【０００６】
また、本発明のカメラは、前記画像データを複数コマ分記憶する記憶手段を備え、前記データ通信部は、一定コマ数又は一定データ量を撮影した後に、又は一定時間を経過した後に、前記記憶手段に記憶した複数コマ分の画像データを自動転送することを特徴とする。前記データを転送する際に、カメラが通信不能エリアにある場合に待機モードになり、通信可能エリアに入るとデータ転送を開始することが好ましい。また、前記データの転送が正常に終了した場合に送信される正常受信信号又は受付ＩＤ番号に基づき転送済みの画像データ及びこれらのプリント指示データを削除し、前記受付ＩＤデータを記憶することが好ましい。また、複数のデータ転送先を記憶しておき、前記データ通信部は、前記複数のデータ転送先の中から選択されたものにデータ転送することが好ましい。さらに、複数のプリント受取先を記憶しておき、前記データ通信部は、前記複数のプリント受取先の中から選択されたものをプリント受取先データとして前記プリント指示データに含ませてデータ転送することが好ましい。また、複数のデータ転送先を記憶しておき、前記データ通信部は、カメラの現在位置データに基づきカメラの現在位置に近いデータ転送先を選択することが好ましい。また、複数のプリント受取先を記憶しておき、前記データ通信部は、カメラの現在位置データに基づきカメラの現在位置に近いプリント受取先を選択し、このプリント受取先データをプリント指示データに含ませてデータ転送することが好ましい。カメラの現在位置情報は、手動、受信基地局情報、ＧＰＳ信号のいずれかに基づき入力されることが好ましい。また、前記転送データはカメラ内で圧縮されたデータであることが好ましい。
【手続補正７】
【補正対象書類名】明細書
【補正対象項目名】０００７
【補正方法】変更
【補正の内容】
【０００７】
前記カメラは、画像表示器を備え、転送データの画像表示後に、送信指示入力を待ってデータ転送することが好ましい。また、前記記憶手段は着脱自在な記録媒体を含み、この記録媒体に前記画像データ及び／又は識別データを記憶することが好ましい。また、前記データ転送と前記記録媒体への記憶とを選択的に行うことが好ましい。また、前記データ転送部は、携帯電話回線による第１のデータ転送部と、近距離間の無線通信による第２のデータ転送部とを備えることが好ましい。前記データ転送部は画像データ閲覧モードを備え、この画像データ閲覧モードでは、転送済みの画像データを取り込み、表示させることが好ましい。前記識別データには、前記画像データの保存を指示するデータが含まれていることが好ましい。